(57)【要約】【課題】  就寝者の寝返りや横臥、または側臥の状態においても毛布本来のドレープ性を損なわないことで就寝者が冷たい空気に触れてしまうことがない縫い目付き毛布を提供することを目的とする。【解決手段】  この発明における縫い目付き毛布１０は、一組の長辺と一組の短辺とを有する矩形の毛布本体１１と、毛布本体１１の４辺の縁部のうち、一組の長辺と平行となるように施された破線で示す一組の縁縫い１２と一組の短辺と平行となるように施された破線で示す一組の縁縫い１３と、一点鎖線で示す毛布本体１１の一組の長辺と平行な中心線１４にて線対称をなし、中心線１４に向かって膨らむ曲線状または折れ線状となるように毛布本体１１に施された破線で示す一対の縫い目１５と、一対の縫い目１５と縁縫い１２との間に施された対となる縫い目１６、１７とから概略構成される。【選択図】図１
2008295978.tif 000002
【特許請求の範囲】
【請求項１】
一組の長辺と一組の短辺とを有する矩形の縫い目付き毛布であって、
前記縫い目付き毛布の前記一組の長辺と平行な略中心線にて線対称をなし、前記略中心線に向かって膨らむ曲線状または折れ線状の一対の縫い目が前記略中心線に接するまたは前記略中心線で交差することを特徴とする縫い目付き毛布。
【請求項２】
前記一対の縫い目が接するまたは交差する位置は、前記略中心線の略１／２の長さの位置を含むことを特徴とする請求項１に記載の縫い目付き毛布。
【請求項３】
前記一対の縫い目と前記一組の長辺との間に対となる複数の縫い目を施したことを特徴とする請求項１又は請求項２に記載の縫い目付き毛布。
【請求項４】
前記縫い目付き毛布の少なくとも３辺の縁部に、前記一組の長辺または前記一組の短辺に平行となるように縁縫いを施すことを特徴とする請求項１乃至請求項３に記載の縫い目付き毛布。
【請求項５】
前記一組の短辺の縁部に施された前記縁縫いと前記一対の縫い目の組との間に縫い目を施さないことを特徴とする請求項４に記載の縫い目付き毛布。
【請求項６】
前記縫い目付き毛布は、合わせ毛布であることを特徴とする請求項１乃至請求項５に記載の縫い目付き毛布。
【請求項７】
前記一組の短辺の一辺に凹み部が設けられていることを特徴とする請求項１乃至請求項６に記載の縫い目付き毛布。
【発明の詳細な説明】
【技術分野】
【０００１】  本発明は、就寝者と掛布団との間で使用する毛布に関し、毛布に施された縫い目により毛布を構成する毛布地等同士のずれを防止することと、該縫い目により毛布内に適度な空間を形成することとで就寝者の円滑な寝返りを確保することが可能な縫い目付き毛布に関するものである。
【背景技術】
【０００２】  従来より、就寝者と掛布団との間に毛布を使用することは、より暖かい状態で就寝するために一般的に行われている。これは、布団が、「綿・藁またはパンヤなどを布地でくるみ、座りまたは寝るときに敷いたり掛けたりするもの。（広辞苑第四版２２６１頁）」であり、掛布団が「寝る時に、上にかける蒲団（広辞苑第四版４６４頁）」であるため、保温性を確保するための掛布団の厚みや重さのために、寝返りや就寝中の動作によるずれや隙間が生じやすいためである。このような、掛布団のずれや隙間で掛布団内の暖かい空気が流失しても就寝者が冷たい空気に直接触れなくて済むように、就寝者と掛布団との間に毛布を使用することが一般的に行われている。【０００３】  毛布は、「紡毛織物の一種。製織後、縮絨・起毛を施して暖かな感触を有する。混紡糸・化繊を用いたものもある。（広辞苑第四版２５３２頁）」とあるように、一般に織り地または編地であり、掛布団に比べてドレープ性（就寝者の体型に対する追従性）がある。このため、毛布は、就寝者が横臥している際はもちろんのこと、寝返りをしても側臥の体勢となっても、就寝者の体型に追従して就寝者に密着するので、例え掛布団がずれたり就寝者と掛け布団との間に隙間が生じたりしても就寝者に直接冷たい空気が触れることがない。【０００４】  また、毛布は、通常、「縮絨・起毛を施して暖かな感触を有する」ので、就寝者の肌が露出する首元や足先に触れることで就寝者に暖かみを与えるので、就寝者と掛布団との間に毛布を使用することは、非常に一般的である。【０００５】  このように毛布は、就寝者の体型への追従性や密着性が高いと共に暖かな感触を有するので、就寝者は暖かな就寝を得ることができる。【０００６】  なお、このような毛布を使用することなく、掛布団の欠点である就寝者と掛布団との隙間で生じる開口部から暖められた空気が流失することを避けるために、例えば、特許文献１に記載の掛布団においては、掛布団の長さ方向の中心線に向かって膨らむ曲線状のキルティングにより、掛布団が屈曲して掛布団の側部が身体側に引き寄せられて身体の側面にフィットするものが提案されている。【０００７】  また、特許文献２に記載の布団においては、身体の方向に長い楕円形のキルティングを中央部に形成した敷布団と、上端に頭部の出る凹部を形成し、両側部と下部に中央に向けて山形の互いに交叉しないキルティングを形成した掛布団とで、身体に十分密着するものが提案されている。
【特許文献１】  特開２００３−３３９５０１
【特許文献２】  特開２００４−１６００６３
【発明の開示】
【発明が解決しようとする課題】
【０００８】  しかしながら、このような特許文献１や特許文献２に開示される掛布団は、ドレープ性（就寝者の体型に対する追従性）には着目してはおらず、また、掛布団が重みや厚みがあるために寝返り等によって掛布団のずれが起こることまでは解決してはおらず、毛布が必要であった。【０００９】  また、特許文献１や特許文献２に開示される掛布団は、就寝者が仰向けに横臥した際にキルティングの箇所で掛布団が折り曲がることで就寝者と掛布団とが密着するようにしたものである。このため、就寝者が就寝中に側臥した際に掛布団自身の厚みやキルティングの箇所以外で掛布団が折り曲がらないことには着目しておらず、就寝中の側臥等による掛布団の開口部によって掛布団内の暖かい空気が流出することまでは解決してはおらず、毛布が必要であった。【００１０】  このように、従来の掛布団の課題を解決するために、毛布は非常に有用であるが、この毛布にもいくつか課題があった。【００１１】  例えば、毛布は、そのドレープ性（追従性）や密着性の高さのために、寝返り時に就寝者に巻き付いて寝返りを妨げることがあった。【００１２】  図５に示すような、表地４２と裏地４４の２枚の毛布地を重ねただけの従来の合わせ毛布４０では、表地４２と裏地４４の各々のドレープ性が逆効果となって発生する互いの毛布地のずれが生じるため、寝返り時に就寝者へ巻き付く際の抵抗が大きく、寝返りを妨げることがあった。なお４６は、いわゆるヘムである。【００１３】  また、図６乃至図８に示すような従来の合わせ毛布５０のように、表地５２と裏地５４の２枚の毛布地同士のずれや、表地５２と裏地５４の間に必要に応じて挟み込まれる中綿５３と該２枚の毛布地とのずれを防止するために、キルティング５８が施されることがある。なお５６は、いわゆるヘムである。【００１４】  しかしながら、従来の合わせ毛布５０に使用される中綿は、一般的にはポリエステル短繊維を樹脂で固めてシート状にした樹脂綿が使用されているため、毛布全体に張りがでて掛布団により近い状態となる。このため、従来の合わせ毛布５０では、毛布本来のドレープ性が損なわれてしまうことや、寝返り等により就寝者と毛布との間に隙間で生じる開口部から暖められた空気が流出してしまうことがあった。【００１５】  また、この発明は、従来の毛布では解決できなかった毛布のドレープ性（追従性）や密着性の高さが逆効果となった寝返り時の就寝者への毛布の巻き付き等を防止して、寝返りを妨げることがない縫い目付き毛布を提供することを目的とする。【００１６】  また、この発明は、従来の合わせ毛布では解決できなかった毛布本来のドレープ性（就寝者の体型に対する追従性）を損なわない縫い目付き毛布を提供することを目的とする。【００１７】  また、この発明は、従来の合わせ毛布では解決できなかった、就寝者の寝返りや横臥、または側臥の状態においても毛布の開口部から暖められた空気が流出してしまうことがない縫い目付き毛布を提供することを目的とする。
【課題を解決するための手段】
【００１８】  上述の課題を解決し、目的を達成するために、この発明の縫い目付き毛布は、請求項１の記載によると、一組の長辺と一組の短辺とを有する矩形の縫い目付き毛布であって、前記縫い目付き毛布の前記一組の長辺と平行な略中心線にて線対称をなし、前記略中心線に向かって膨らむ曲線状または折れ線状の一対の縫い目が前記略中心線に接するまたは前記略中心線で交差することを特徴とする。【００１９】  また、この発明の縫い目付き毛布は、請求項２の記載によると、前記一対の縫い目が接するまたは交差する位置は、前記略中心線の略１／２の長さの位置を含むことを特徴とする。【００２０】  また、この発明の縫い目付き毛布は、請求項３の記載によると、前記一対の縫い目と前記一組の長辺との間に対となる複数の縫い目を施したことを特徴とする。【００２１】  また、この発明の縫い目付き毛布は、請求項４の記載によると、前記縫い目付き毛布の少なくとも３辺の縁部に、前記一組の長辺または前記一組の短辺に平行となるように縁縫いを施すことを特徴とする。【００２２】  また、この発明の縫い目付き毛布は、請求項５の記載によると、前記一組の短辺の縁部に施された前記縁縫いと前記一対の縫い目の組との間に縫い目を施さないことを特徴とする。【００２３】  また、この発明の縫い目付き毛布は、請求項６の記載によると、前記縫い目付き毛布は、合わせ毛布であることを特徴とする。【００２４】  また、この発明の縫い目付き毛布は、請求項７の記載によると、前記一組の短辺の一辺に凹み部が設けられていることを特徴とする。
【発明の効果】
【００２５】  この発明により、毛布本来の特徴である就寝者の体型への追従性や密着性を損なうことなく、就寝者がスムーズに寝返り可能な縫い目付き毛布を提供することができる。【００２６】  また、この発明により、就寝者の寝返りや横臥、または側臥の状態においても毛布の開口部から暖められた空気が流出してしまうことがない縫い目付き毛布を提供することを目的とする。
【発明を実施するための最良の形態】
【００２７】  この発明の第１の実施の形態例を、図面を用いて以下に説明する。なお、この発明の実施の形態で説明する素材や手段等はこれに限定されるものではなく、特許請求の範囲に記載した範囲を逸脱しない広範囲の実施形態を包含するものである。【００２８】  図１及び図２は、この発明の第１の実施の形態例における縫い目付き毛布１０の全体図である。【００２９】  図１、図２によると、この発明における縫い目付き毛布１０は、一組の長辺と一組の短辺とを有する矩形の毛布本体１１と、毛布本体１１の４辺の縁部のうちの一組の長辺と平行となるように施された破線で示す一組の縁縫い１２と、毛布本体１１の４辺の縁部のうちの一組の短辺と平行となるように施された破線で示す一組の縁縫い１３と、一点鎖線で示す毛布本体１１の一組の長辺と平行な中心線１４にて線対称をなし、中心線１４に向かって膨らむ曲線状または折れ線状となるように毛布本体１１に施された破線で示す一対の縫い目１５と、一対の縫い目１５と縁縫い１２との間に施された破線で示す対となる縫い目１６、１７とから概略構成される。【００３０】  また、毛布本体１１は、アクリル、ポリエステル、ナイロン等の合成繊維、または綿、毛等の天然繊維、またはそれらの混紡糸等の素材で作られた織り地等からなる２枚の毛布地の間に、綿やポリエステル等の中綿が挟み込まれ、必要に応じて中綿が毛布本体１１の表面から飛び出さないように中綿と該毛布地との間に不織布を挟み込まれた構造となっている。また、特に詳細な説明はしないが、毛布本体１１の４辺の縁には、該毛布地同士の口明きや中綿、不織布の飛び出しを防止するための織り地や編み地のヘムが必要に応じて設けられることがある。【００３１】  この第１の実施の形態例における縫い目付き毛布１０は、毛布地同士、毛布地と中綿、毛布地と不織布、中綿と不織布のずれを防止するために、キルティングとしての一組の縁縫い１２、一組の縁縫い１３、一対の縫い目１５、対となる縫い目１６、１７が施されている。【００３２】  ここで説明するキルティングとは、「刺繍の一種。防寒または装飾のため、二枚の布の間に芯・綿・毛糸などを入れて刺し縫う技法。（広辞苑第四版６９５頁）」のことであり、このキルティングにより、毛布本体１１を構成する２枚の毛布地同士や、該２枚の毛布地と中綿等は刺し縫われてずれが防止されている。【００３３】  なお、一対の縫い目１５は、中心線１４にて線対称をなす縫い目の一方（図の右側）と縫い目の他方（図の左側）とから構成されている。縫い目の一方は、一組の縁縫い１２の一方（図の右側）と一組の縁縫い１３の一方（図の上側）との交点と、一組の縁縫い１２の一方と一組の縁縫い１３の他方（図の下側）との交点と、を結び、中心線１４に向かって膨らむ曲線状または折れ線状となっている。また、縫い目の他方は、一組の縁縫い１２の他方（図の左側）と一組の縁縫い１３の一方との交点と、一組の縁縫い１２の他方と一組の縁縫い１３の他方との交点と、を結び、中心線１４に向かって膨らむ曲線状または折れ線状となっている。【００３４】  なお、図１における一対の縫い目１５が中心線１４上で互いに接する位置は、図１において矢印Ａで示すように、中心線１４の略１／��の長さの位置を含んでいる。また、この互いに接する位置は、一組の縁縫い１３の一方の側では中心線１４の略１／３の長さの位置の近傍であり、一組の縁縫い１３の他方の側では中心線１４の略２／３の長さの位置に達していない。【００３５】  また、図２における一対の縫い目１５が中心線１４上で交差する位置は、図２において矢印Ａで示すように、中心線１４の略１／２の長さの位置を含んでいる。また、この交差する位置は、一組の縁縫い１３の一方の側では中心線１４の略１／３の長さの位置の近傍であり、一組の縁縫い１３の他方の側では中心線１４の略２／３の長さの位置に達していない。【００３６】  また、対となる縫い目１６は、縫い目１６の一方（図の右側）と縫い目１６の他方（図の左側）とから構成されている。縫い目１６の一方は、一対の縫い目１５の一方と略平行となる曲線状または折れ線状となっている。また、縫い目１６の他方は、一対の縫い目１５の他方と略平行となる曲線状または折れ線状となっている。【００３７】  同様に、対となる縫い目１７は、縫い目１７の一方（図の右側）と縫い目１７の他方（図の左側）とから構成されている。縫い目１７の一方は、対となる縫い目１６の一方と略平行となる曲線状または折れ線状となっている。また、縫い目１７の他方は、縫い目１６の他方と略平行となる曲線状または折れ線状となっている。【００３８】  このような構成を持つ、この発明の第１の実施の形態例の縫い目付き毛布１０は、キルティングとして施された一組の縁縫い１２、一組の縁縫い１３、一対の縫い目１５、対となる縫い目１６、１７により、毛布地同士等のずれ等が生じない。【００３９】  また、図１において、この縫い目付き毛布１０に施された一対の縫い目１５が互いに接する位置は、例えば一般的なシングルサイズの毛布であれば、その丈（毛布本体１１の一組の長辺の方向の長さ）が約２００ｃｍであるので、一組の短辺の一方の縁から約６６ｃｍ〜約１００ｃｍの位置となる。【００４０】  就寝者がこの発明の縫い目付き毛布１０を使用する場合、当該就寝者の身長がＪＩＳ  Ｌ４００４によるＭサイズの成人男子の身長である１６５ｃｍ〜１７５ｃｍであるとすると、頭部から首元までが約３０ｃｍ、首元から股までが約７０〜７５ｃｍ、股からかかとまでが約６５ｃｍ〜７０ｃｍとなるので、一対の縫い目１５が互いに接する約６６ｃｍ〜約１００ｃｍの位置は、当該就寝者の腰あたりから大腿部あたりの位置となる。【００４１】  この就寝者の腰あたりから大腿部あたりの位置は、足や肩を使用して行う寝返りや横臥から側臥への体位の変更の際に中心となる位置であり、縫い目付き毛布１０が寝返りで就寝者に巻き付きやすい位置である。【００４２】  一枚の布に施された縫い目は、その位置で張りがでると同時に折れ曲がる性質があるため、この発明の縫い目付き毛布１０に施された一対の縫い目１５は、寝返りで就寝者に巻き付きやすい位置で毛布内に適度な空間を形成し、毛布の巻き付きを防止することが可能となり、就寝者の寝返りや体位の変更がスムーズとなる。【００４３】  また、一対の縫い目１５と略平行に施された曲線状または折れ線状の対となる縫い目１６、１７も、毛布内に適度な空間を形成し、対となる縫い目１６、１７で形成される毛布内の空間は、一対の縫い目１５で形成される毛布内の空間と相まって就寝者の寝返りや体位の変更がスムーズとなる。【００４４】  また、一対の縫い目１５と縁縫い１３の他方との間は、あえて縫い目を施さないことで毛布本来のドレープ性を生かして、就寝者の肌が露出した足先および就寝者ごとに体型の異なる胸部への密着性を高めて暖かみが得られるようになる。【００４５】  この発明の第２の実施の形態例を、図３、図４を用いて以下に説明する。なお、この第２の実施の形態例において、第１の実施の形態例と同様の構成には、同じ符号を用いて説明する。【００４６】  図３、図４における縫い目付き毛布１０では、一組の短辺の一方の縁（図の上側）に頭部が収納される凹み部としてのくり２２が設けられている。このくり２２により、毛布本体１１が就寝者の首元に沿うので就寝者は首もとにおいて密着感を得ることが可能となる。【００４７】  なお、図３の縫い目付き毛布１０では一組の縁縫い１３の一方（図の上側）は、くり２２の位置でくり２２に沿って曲線状に施されている。この一組の縁縫い１３の一方により、毛布本体１１が就寝者の首元で自然に折れ曲がる。【００４８】  また、図４の縫い目付き毛布１０では、くり２２は設けるが一組の縁縫い１３の一方は施さない構成となっている。このような構成とすることで、毛布地の素材等により、胸元から首元にかけての毛布本来のドレープ性にまかせることで肩部から首元の毛布の密着性を高めることが可能となる場合がある。【００４９】  なお、図３における一対の縫い目１５が中心線１４上で互いに接する位置は、図３において矢印Ａで示すように、中心線１４の略１／２の長さの位置を含んでいる。また、この互いに接する位置は、一組の縁縫い１３の一方の側では中心線１４の略１／３の長さの位置の近傍であり、一組の縁縫い１３の他方の側では中心線１４の略２／３の長さの位置に達していない。【００５０】  また、図４における一対の縫い目１５が中心線１４上で交差する位置は、図４において矢印Ａで示すように、中心線１４の略１／２の長さの位置を含んでいる。また、この交差する位置は、一組の縁縫い１３の一方の側では中心線１４の略１／３の長さの位置の近傍であり、一組の縁縫い１３の他方の側では中心線１４の略２／３の長さの位置に達していない。【００５１】  なお、図３および図４における対となる縫い目１６、１７の構成と機能は、第１の実施の形態例と同様である。【００５２】  この第２の実施の形態例における縫い目付き毛布においても、第１の実施の形態例の縫い目付き毛布と同様に、就寝者の体型への追従性や密着性を損なうことなくスムーズに寝返り可能となると共に、就寝者の横臥や側臥に関わらず就寝者に密着する効果が得られる。【００５３】  また、第１及び第２の実施の形態例における縫い目付き毛布において、一対の縫い目１５が中心線１４上で互いに接する位置または交差する位置が、中心線１４の略１／２の長さの位置を含むことにより、毛布内に適度な空間を形成されて毛布の巻き付きを防止する効果が得られることとなる。また、この互いに接する位置または交差する位置が、一組の縁縫い１３の一方の側では中心線１４の略１／３の長さの���置の近傍となることにより、就寝者ごとに体型の異なる胸部での密着性が高くなる効果が得られることとなる。さらに、この互いに接する位置または交差する位置が、一組の縁縫い１３の他方の側では中心線１４の略２／３の長さの位置に達しないことにより、就寝者の肌が露出した足先を含んだ脚部での密着性が高くなる効果が得られることとなる。【００５４】  この発明は、必要に応じて種々変形可能である。例えば、上記第１の実施の形態例または第２の実施の形態例においては、合わせ毛布で説明を行ったが、毛布地に厚みのある厚めの毛布や、素材のドレープ性が若干劣る毛布でも適用可能である。【００５５】  また、上記第１の実施の形態例または第２の実施の形態例において、対となる縫い目は２組と説明したが、１組であっても、また、３組以上であっても同様の効果が得られる。【００５６】  なお、このような、この発明の縫い目付き毛布の縫い目を特許文献１や特許文献２のような掛布団に施すことは容易に想達できるものではないばかりでなく、仮に縫い目を施したとしても同様の効果が得られる訳ではない。これは、毛布が元々ドレープ性があるから就寝者に巻き付きやすい位置に縫い目を施すのであって、掛布団では必要のないものである。また、掛布団は中綿による厚みがかなりあり、この発明の縫い目を施しても就寝者の足先などに毛布のような密着性は得られない。このように、この縫い目付き毛布の発明は、毛布であることが重要であり、前提の異なる掛布団へこの発明の縫い目を施すことは意味をなさない。
【図面の簡単な説明】
【００５７】
【図１】  第１の実施の形態例の縫い目付き毛布を示す図。
【図２】  第１の実施の形態例の縫い目付き毛布を示す図。
【図３】  第２の実施の形態例の縫い目付き毛布を示す図。
【図４】  第２の実施の形態例の縫い目付き毛布を示す図。
【図５】  従来の合わせ毛布の一部断面を示す図。
【図６】  従来の合わせ毛布の一部断面を示す図。
【図７】  従来の合わせ毛布を示す図。
【図８】  従来の合わせ毛布を示す図。
【符号の説明】
【００５８】１０・・・縫い目付き毛布、  １１・・・毛布本体、  １２・・・一組の縁縫い
１３・・・一組の縁縫い、  １４・・・中心線、  １５・・・一対の縫い目
１６・・・対となる縫い目、  １７・・・対となる縫い目、  ２２・・・くり
【図１】
2008295978.tif 000003
【図２】
2008295978.tif 000004
【図３】
2008295978.tif 000005
【図４】
2008295978.tif 000006
【図５】
2008295978.tif 000007
【図６】
2008295978.tif 000008
【図７】
2008295978.tif 000009
【図８】
2008295978.tif 000010